(57)【要約】【課題】ボルト、ナットの締結を工具を使うことなしに行い、脱落を防止する。【解決手段】脱落防止金具付きナットＡは、締め込み側のナットとしてノブ付きのナット１を備え、脱落防止金具Ｕ１はベースプレート２、ガイドプレート３、リンク機構５により構成され、ガイドプレート３にノブ付きのナット１を保持されて、ベースプレート２がボルト挿通孔ｈの周囲に取り付けられ、２部材間の取り付けに際し、ノブＮ１を使ってノブ付きのナット１を被締め込み側のボルトｂに締結する形式とし、ノブ付きのナット１は常態としてベースプレート２に連結されたガイドプレート３に保持されてその脱落を防止される。【選択図】図１
2018179140.tif 000002
【特許請求の範囲】
【請求項１】
一方の部材に突設された被締め込み側のボルトを他方の部材に穿設されたボルト挿通孔に通し、当該ボルト挿通孔に通された被締め込み側のボルトに締め込み側のナットを締結して、一方の部材に他方の部材を取り付けるボルト、ナットによる２部材間の取付構造に用いる脱落防止金具付きナットであって、
締め込み側のナットとして、先端にナットのねじ孔と略同径の孔を有し、ナットをその軸方向及び回転方向の動きを規制して保持可能な筒状保持部、及び前記筒状保持部の後端側に前記筒状保持部の外周方向に張り出されるつまみを有してなるノブの前記筒状保持部内にナットを組み込まれ前記先端の孔に前記ナットのねじ孔が連通されて構成されるノブ付きのナットを備え、
前記脱落防止金具は、
他方の部材の前記ボルト挿通孔に連通するボルト挿通部、及び前記ボルト挿通部の周囲に前記ノブ付きのナットの前記筒状保持部の先端と係合可能なノブ先端係合部を有し、他方の部材の前記ボルト挿通孔の周囲に取り付けられるベースプレートと、
前記ノブ付きのナットの前記筒状保持部を挿通可能な穴、及び前記穴の周囲に前記ノブ付きのナットのつまみの座面と係合可能なつまみ座面係合部を有し、前記ベースプレートにリンク機構を介して、前記ベースプレートと、前記ベースプレートから前記ノブ付きのナットが前記ボルト挿通孔から前記ベースプレートの前記ボルト挿通部を通じて通される被締め込み側のボルトに係合し前記ノブ付きのナットと被締め込み側のボルトと締結を締結するのに必要な前記ノブ付きのナットの締め込みストローク分の距離を確保して離間される前記ノブ付きのナットのセット位置での前記ノブ付きナットの前記筒状保持部の先端との間で進退可能に連結されるガイドプレートと、
を備え、
前記ノブ付きのナットが、前記筒状保持部を前記ガイドプレートの前記穴に通され、前記筒状保持部の先端に前記穴よりも大きいストッパープレートを固定されて、前記穴に前記ストッパープレートにより抜け止めされて保持され、
前記ベースプレートが前記ボルト挿通部を他方の部材の前記ボルト挿通孔に合せられて前記ボルト挿通孔の周囲に取り付けられ、
２部材間の取り付けに際し、前記ノブを使い、前記ノブ付きのナットを前記ノブ付きのナットのセット位置から前記ボルト挿通孔に通された被締め込み側のボルトに係合させて、前記ノブの操作により、前記ノブ付きのナットを締め込み方向に回転することにより、前記ノブ付きのナットを被締め込み側のボルトに締め込んで前記ノブ付きのナットと被締め込み側のボルトとを締結し、その反対の操作により、前記ノブ付きのナットと被締め込み側のボルトとの締結を解除する形式とし、
前記ノブ付きのナットは常態として他方の部材に固定される前記ベースプレートに連結された前記ガイドプレートに保持される、
ことを特徴とする脱落防止金具付きナット。
【請求項２】
ベースプレートはガイドプレートの長さよりも長く前記ガイドプレートの幅よりも短い金属製の略矩形状の平板からなり、その略中央にボルト挿通部が穿たれ、前記ガイドプレートはノブ付きのナットの筒状保持部の先端よりも大きい金属製の略矩形状の平板からなり、その略中央に穴が穿たれる請求項１に記載の脱落防止金具付きナット。
【請求項３】
ストッパープレートはガイドプレートの穴よりも大きい平板からなり、その中心にノブ付きのナットの筒状保持部先端の孔と略同径の孔を穿たれて、前記筒状保持部の先端に複数のねじにより取り付けられる請求項１又は２に記載の脱落防止金具付きナット。
【請求項４】
リンク機構は、ベースプレートの両側部に形成される一対の立ち上がり部又はガイドプレートの両側部に形成される一対の立ち上がり部の一方に穿たれる一対の孔及び他方に穿たれ当該両側部の延びる方向に長い一対の長孔と、一端が前記各孔に通されるピンにリンク結合され、他端が前記各長孔に通されるピンにリンク結合されて、前記ベースプレートの各立ち上がり部と前記ガイドプレートの各立ち上がり部との間に架け渡しされる一対のリンクとを備えて構成される請求項１乃至３のいずれかに記載の脱落防止金具付きナット。
【請求項５】
一方の部材に設けられた被締め込み側のナットに他方の部材に穿設されたボルト挿通孔に通した締め込み側のボルトを締結して、一方の部材に他方の部材を取り付けるボルト、ナットによる２部材間の取付構造に用いる脱落防止金具付きボルトであって、
締め込み側のボルトとして、先端にボルトのねじ部と略同径の孔を有し、前記ボルトの頭部をその軸方向及び回転方向の動きを規制して保持可能な筒状保持部、及び前記筒状保持部の後端側に前記筒状保持部の外周方向に張り出されるつまみを有してなるノブの前記筒状保持部内にボルトの頭部が組み込まれ前記先端の孔から前記ボルトのねじ部を突出されて構成されるノブ付きのボルトを備え、
前記脱落防止金具は、
他方の部材の前記ボルト挿通孔に連通するボルト挿通部、及び前記ボルト挿通部の周囲に前記ノブ付きのナットの前記筒状保持部の先端と係合可能なノブ先端係合部を有し、他方の部材の前記ボルト挿通孔の周囲に取り付けられるベースプレートと、
前記ノブ付きのボルトの前記筒状保持部を挿通可能な穴、及び前記穴の周囲に前記ノブ付きのボルトのつまみの座面と係合可能なつまみ座面係合部を有し、前記ベースプレートにリンク機構を介して、前記ベースプレートと、前記ベースプレートから前記ノブ付きのボルトが前記ベースプレートの前記ボルト挿通部に係合し前記ノブ付きのボルトと被締め込み側のナットとの締結に必要な前記ノブ付きのボルトの締め込みストローク分の距離を確保して離間される前記ノブ付きボルトのセット位置での前記ノブ付きボルトの前記筒状保持部の先端との間で進退可能に連結されるガイドプレートと、
を備え、
前記ノブ付きのボルトが、前記筒状保持部を前記ガイドプレートの前記穴に通され、前記筒状保持部の先端に前記穴よりも大きいストッパープレートを固定されて、前記穴に前記ストッパープレートにより抜け止めされて保持され、
前記ベースプレートが前記ボルト挿通部を他方の部材の前記ボルト挿通孔に合せられて前記ボルト挿通孔の周囲に取り付けられ、
２部材間の取り付けに際し、前記ノブを使い、前記ノブ付きのボルトを前記ノブ付きのボルトのセット位置から前記ボルト挿通孔に通し被締め込み側のナットに係合させて、前記ノブの操作により、前記ノブ付きのボルトを締め込み方向に回転することにより、前記ノブ付きのボルトを被締め込み側のナットに締め込んで前記ノブ付きのボルトと被締め込み側のナットとを締結し、その反対の操作により、前記ノブ付きのボルトと被締め込み側のナットとの締結を解除する形式とし、
前記ノブ付きのボルトは常態として前記他方の部材に固定される前記ベースプレートに連結された前記ガイドプレートに保持される、
ことを特徴とする脱落防止金具付きボルト。
【請求項６】
ベースプレートはガイドプレートの長さよりも長く前記ガイドプレートの幅よりも短い金属製の略矩形状の平板からなり、その略中央にボルト挿通部が穿たれ、前記ガイドプレートはノブ付きのボルトの筒状保持部の先端よりも大きい金属製の略矩形状の平板からなり、その略中央に穴が穿たれる請求項５に記載の脱落防止金具付きボルト。
【請求項７】
ストッパープレートはガイドプレートの穴よりも大きい平板からなり、その中心にノブ付きのボルトの筒状保持部先端の孔と略同径の孔を穿たれて、前記筒状保持部の先端に複数のねじにより取り付けられる請求項５又は６に記載の脱落防止金具付きボルト。
【請求項８】
リンク機構は、ベースプレートの両側部に形成される一対の立ち上がり部又はガイドプレートの両側部に形成される一対の立ち上がり部の一方に穿たれる一対の孔及び他方に穿たれ当該両側部の延びる方向に長い一対の長孔と、一端が前記各孔に通されるピンにリンク結合され、他端が前記各長孔に通されるピンにリンク結合されて、前記ベースプレートの各立ち上がり部と前記ガイドプレートの各立ち上がり部との間に架け渡しされる一対のリンクとを備えて構成される請求項５乃至７のいずれかに記載の脱落防止金具付きボルト。
【発明の詳細な説明】
【技術分野】
【０００１】
本発明は、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、又は一方の部材に設けられた被締め込み側のナットに他方の部材に穿設されたボルト挿通孔に通した締め込み側のボルトのねじ部を締結して、一方の部材に他方の部材を取り付けるボルト、ナットによる２部材間の取付構造に用いる脱落防止金具付きボルト・ナットに関し、特に、構造物の高所に各種の部材を取り付ける場合に最適な脱落防止金具付きボルト・ナットに関する。
【背景技術】
【０００２】
近年、日本各地に多くの風力発電装置が設置されている。
風力発電装置は、特許文献１などに開示されているように、陸上又は洋上に立設されるタワーと、タワーの上部に設けられるナセルと、ナセルにハブを介して回転自在に支持される複数のブレードを含むロータとを備え、ブレードが風力を受けることによってロータが回転し、ロータの回転がナセル内に収納された発電機に伝達されて、発電を行うようになっている。
【０００３】
この種の風力発電装置にはタワーとナセルとの間に作業者用のハッチが設けられていて、作業者がこのハッチを通じてナセルに出入りし、ナセル内の各機器の点検、保守作業を行っている。このハッチは、タワーとナセルとの間に設けられるハッチ開口部と、このハッチ開口部を閉塞するためのハッチパネルとからなり、ハッチ開口部上にハッチパネルがボルト・ナットを介して取り付けられる。この場合、ハッチ開口部の周囲には複数のボルトがねじ部を下方（垂直方向）に向けて固着され、ハッチパネルの周囲にハッチパネルの上面、下面間を貫通して複数のボルト挿通孔が形成されていて、ハッチパネルは、ハッチ開口部の下から、ハッチパネルの各ボルト挿通孔にハッチ開口部周囲の各ボルトが通されて、ハッチ開口部に被せられ、この状態で、各ボルトにナットが締結されて、ハッチ開口部の直下に固定される。したがって、作業者は、ナセル内に入るときに、ハッチ周囲の各ボルトから各ナットを取り外し、ハッチパネルをハッチ開口部から取り外して、ハッチ開口部を開放し、ナセルから出たときは、ハッチパネルをハッチ開口部の下部に被せ、各ボルトに各ナットを締め込んで、ハッチパネルをハッチ開口部に固定して、ハッチ開口部を閉鎖する。
【０００４】
さて、一般に、構造物に各種の部材をボルト・ナットにより取り付ける場合、ナットをボルトに又はボルトをナットにトルクレンチなどの締付工具を用いて締め付けているが、例えば、風力発電装置の場合、タワーとナセルとの間のハッチ開口部が高所にあるので、この高所で作業者がナットを工具で締め込んでいると、この作業中に工具を落としたときに、工具がタワーの下にいる作業者に当たる危険性がある。
そこで、従来は、ハッチパネルの取り付け、取り外しの作業の安全性を考慮して、通常のナットに代えて蝶ナットを用いている。蝶ナットは、特許文献２などにより開示されているように、翼状の取っ手を有し、この取っ手の部分に手で力を加えることで回転し、締め付けたり緩めたりすることができるので、ハッチパネルの取り付け、取り外しを工具を使うことなく行うことができる。
【先行技術文献】
【特許文献】
【０００５】
【特許文献１】特開２０１５−１６１２６３号公報
【特許文献２】特開２０１３−８２０３９号公報
【発明の概要】
【発明が解決しようとする課題】
【０００６】
しかしながら、例えば、風力発電装置の場合、高所のハッチ開口部にハッチパネルをボルトと蝶ナットとにより手締めで締め付け、工具を使わずに取り付けていることで、工具の落下の発生がないものの、ハッチパネルをハッチ開口部に取り付ける際は、各蝶ナットを手で各ボルトに締め付けていくので、蝶ナットが作業者の手から落ちることがあり、また、ハッチパネルをハッチ開口部に取り付けた後でも、ナセル内の発電機の振動や外力によるタワー全体の振動などで、各ボルトに締結された蝶ナットが緩み、外れるおそれがあり、蝶ナットがタワーの下に落ちたときに、タワーの下にいる作業者に当たる危険性がある、という問題がある。
【０００７】
本発明は、このような従来の問題を解決するもので、風力発電装置他各種の構造物の高所にハッチパネル他各種の部材をボルト・ナットで取り付ける場合を含み、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、又は一方の部材に設けられた被締め込み側のナットに他方の部材に穿設されたボルト挿通孔に通した締め込み側のボルトのねじ部を締結して、一方の部材に他方の部材を取り付けるボルト、ナットによる２部材間の取付構造において、ボルト、ナットの締結を工具を使うことなしに簡易に行え、ボルト又はナットの脱落を確実に防止することのできる脱落防止金具付きボルト・ナットを提供すること、を目的とする。
【課題を解決するための手段】
【０００８】
上記目的を達成するために、本発明は、
一方の部材に突設された被締め込み側のボルトを他方の部材に穿設されたボルト挿通孔に通し、当該ボルト挿通孔に通された被締め込み側のボルトに締め込み側のナットを締結して、一方の部材に他方の部材を取り付けるボルト、ナットによる２部材間の取付構造に用いる脱落防止金具付きナットであって、
締め込み側のナットとして、先端にナットのねじ孔と略同径の孔を有し、ナットをその軸方向及び回転方向の動きを規制して保持可能な筒状保持部、及び前記筒状保持部の後端側に前記筒状保持部の外周方向に張り出されるつまみを有してなるノブの前記筒状保持部内にナットを組み込まれ前記先端の孔に前記ナットのねじ孔が連通されて構成されるノブ付きのナットを備え、
前記脱落防止金具は、
他方の部材の前記ボルト挿通孔に連通するボルト挿通部、及び前記ボルト挿通部の周囲に前記ノブ付きのナットの前記筒状保持部の先端と係合可能なノブ先端係合部を有し、他方の部材の前記ボルト挿通孔の周囲に取り付けられるベースプレートと、
前記ノブ付きのナットの前記筒状保持部を挿通可能な穴、及び前記穴の周囲に前記ノブ付きのナットのつまみの座面と係合可能なつまみ座面係合部を有し、前記ベースプレートにリンク機構を介して、前記ベースプレートと、前記ベースプレートから前記ノブ付きのナットが前記ボルト挿通孔から前記ベースプレートの前記ボルト挿通部を通じて通される被締め込み側のボルトに係合し前記ノブ付きのナットと被締め込み側のボルトと締結を締結するのに必要な前記ノブ付きのナットの締め込みストローク分の距離を確保して離間される前記ノブ付きのナットのセット位置での前記ノブ付きナットの前記筒状保持部の先端との間で進退可能に連結されるガイドプレートと、
を備え、
前記ノブ付きのナットが、前記筒状保持部を前記ガイドプレートの前記穴に通され、前記筒状保持部の先端に前記穴よりも大きいストッパープレートを固定されて、前記穴に前記ストッパープレートにより抜け止めされて保持され、
前記ベースプレートが前記ボルト挿通部を他方の部材の前記ボルト挿通孔に合せられて前記ボルト挿通孔の周囲に取り付けられ、
２部材間の取り付けに際し、前記ノブを使い、前記ノブ付きのナットを前記ノブ付きのナットのセット位置から前記ボルト挿通孔に通された被締め込み側のボルトに係合させて、前記ノブの操作により、前記ノブ付きのナットを締め込み方向に回転することにより、前記ノブ付きのナットを被締め込み側のボルトに締め込んで前記ノブ付きのナットと被締め込み側のボルトとを締結し、その反対の操作により、前記ノブ付きのナットと被締め込み側のボルトとの締結を解除する形式とし、
前記ノブ付きのナットは常態として他方の部材に固定される前記ベースプレートに連結された前記ガイドプレートに保持される、
ことを要旨とする。
また、この脱落防止金具付きナットは各部が次のように構成されることが好ましい。
（１）ベースプレートはガイドプレートの長さよりも長く前記ガイドプレートの幅よりも短い金属製の略矩形状の平板からなり、その略中央にボルト挿通部が穿たれ、前記ガイドプレートはノブ付きのナットの筒状保持部の先端よりも大きい金属製の略矩形状の平板からなり、その略中央に穴が穿たれる。
（２）ストッパープレートはガイドプレートの穴よりも大きい平板からなり、その中心にノブ付きのナットの筒状保持部先端の孔と略同径の孔を穿たれて、前記筒状保持部の先端に複数のねじにより取り付けられる。
（３）リンク機構は、ベースプレートの両側部に形成される一対の立ち上がり部又はガイドプレートの両側部に形成される一対の立ち上がり部の一方に穿たれる一対の孔及び他方に穿たれ当該両側部の延びる方向に長い一対の長孔と、一端が前記各孔に通されるピンにリンク結合され、他端が前記各長孔に通されるピンにリンク結合されて、前記ベースプレートの各立ち上がり部と前記ガイドプレートの各立ち上がり部との間に架け渡しされる一対のリンクとを備えて構成される。
【０００９】
また、上記目的を達成するために、本発明は、
一方の部材に設けられた被締め込み側のナットに他方の部材に穿設されたボルト挿通孔に通した締め込み側のボルトを締結して、一方の部材に他方の部材を取り付けるボルト、ナットによる２部材間の取付構造に用いる脱落防止金具付きボルトであって、
締め込み側のボルトとして、先端にボルトのねじ部と略同径の孔を有し、前記ボルトの頭部をその軸方向及び回転方向の動きを規制して保持可能な筒状保持部、及び前記筒状保持部の後端側に前記筒状保持部の外周方向に張り出されるつまみを有してなるノブの前記筒状保持部内にボルトの頭部が組み込まれ前記先端の孔から前記ボルトのねじ部を突出されて構成されるノブ付きのボルトを備え、
前記脱落防止金具は、
他方の部材の前記ボルト挿通孔に連通するボルト挿通部、及び前記ボルト挿通部の周囲に前記ノブ付きのナットの前記筒状保持部の先端と係合可能なノブ先端係合部を有し、他方の部材の前記ボルト挿通孔の周囲に取り付けられるベースプレートと、
前記ノブ付きのボルトの前記筒状保持部を挿通可能な穴、及び前記穴の周囲に前記ノブ付きのボルトのつまみの座面と係合可能なつまみ座面係合部を有し、前記ベースプレートにリンク機構を介して、前記ベースプレートと、前記ベースプレートから前記ノブ付きのボルトが前記ベースプレートの前記ボルト挿通部に係合し前記ノブ付きのボルトと被締め込み側のナットとの締結に必要な前記ノブ付きのボルトの締め込みストローク分の距離を確保して離間される前記ノブ付きボルトのセット位置での前記ノブ付きボルトの前記筒状保持部の先端との間で進退可能に連結されるガイドプレートと、
を備え、
前記ノブ付きのボルトが、前記筒状保持部を前記ガイドプレートの前記穴に通され、前記筒状保持部の先端に前記穴よりも大きいストッパープレートを固定されて、前記穴に前記ストッパープレートにより抜け止めされて保持され、
前記ベースプレートが前記ボルト挿通部を他方の部材の前記ボルト挿通孔に合せられて前記ボルト挿通孔の周囲に取り付けられ、
２部材間の取り付けに際し、前記ノブを使い、前記ノブ付きのボルトを前記ノブ付きのボルトのセット位置から前記ボルト挿通孔に通し被締め込み側のナットに係合させて、前記ノブの操作により、前記ノブ付きのボルトを締め込み方向に回転することにより、前記ノブ付きのボルトを被締め込み側のナットに締め込んで前記ノブ付きのボルトと被締め込み側のナットとを締結し、その反対の操作により、前記ノブ付きのボルトと被締め込み側のナットとの締結を解除する形式とし、
前記ノブ付きのボルトは常態として前記他方の部材に固定される前記ベースプレートに連結された前記ガイドプレートに保持される、
ことを要旨とする。
また、この脱落防止金具付きボルトは各部が次のように構成されることが好ましい。
（１）ベースプレートはガイドプレートの長さよりも長く前記ガイドプレートの幅よりも短い金属製の略矩形状の平板からなり、その略中央にボルト挿通部が穿たれ、前記ガイドプレートはノブ付きのボルトの筒状保持部の先端よりも大きい金属製の略矩形状の平板からなり、その略中央に穴が穿たれる。
（２）ストッパープレートはガイドプレートの穴よりも大きい平板からなり、その中心にノブ付きのボルトの筒状保持部先端の孔と略同径の孔を穿たれて、前記筒状保持部の先端に複数のねじにより取り付けられる。
（３）リンク機構は、ベースプレートの両側部に形成される一対の立ち上がり部又はガイドプレートの両側部に形成される一対の立ち上がり部の一方に穿たれる一対の孔及び他方に穿たれ当該両側部の延びる方向に長い一対の長孔と、一端が前記各孔に通されるピンにリンク結合され、他端が前記各長孔に通されるピンにリンク結合されて、前記ベースプレートの各立ち上がり部と前記ガイドプレートの各立ち上がり部との間に架け渡しされる一対のリンクとを備えて構成される。
【発明の効果】
【００１０】
本発明の脱落防止金具付きナットによれば、締め込み側のナットとしてノブ付きのナットを用い、脱落防止金具がベースプレートとこのベースプレートにリンク機構を介して連結されるガイドプレートとを備えて、ベースプレートがボルト挿通部を他方の部材のボルト挿通孔に合せられてこのボルト挿通孔の周囲に取り付けられ、２部材間の取り付けに際し、ノブを使い、ノブ付きのナットをこのナットのセット位置で他方の部材のボルト挿通孔に通された被締め込み側のボルトに係合させて、ノブの操作により、ノブ付きのナットを締め込み方向に回転することにより、ノブ付きのナットを被締め込み側のボルトに締め込んでノブ付きのナットと被締め込み側のボルトとを締結し、その反対の操作により、ノブ付きのナットと被締め込み側のボルトとの締結を解除する形式とし、ノブ付きのナットは常態として他方の部材に固定されるベースプレートに連結されたガイドプレートに保持されるようにしたので、風力発電装置他各種の構造物の高所にハッチパネル他各種の部材をボルト・ナットで取り付ける場合を含み、一方の部材に突設された被締め込み側のボルトを他方の部材に穿設されたボルト挿通孔に通し、このボルト挿通孔を通された被締め込み側のボルトに締め込み側のナットを締結して、一方の部材に他方の部材を取り付けるボルト、ナットによる２部材間の取付構造において、ボルト、ナットの締結を工具を使うことなしに簡易に行え、ナットの脱落を確実に防止することができる、という本発明独自の格別な効果を奏する。
【００１１】
本発明の脱落防止金具付きボルトによれば、締め込み側のボルトとしてノブ付きのボルトを用い、脱落防止金具がベースプレートとこのベースプレートにリンク機構を介して連結されるガイドプレートとを備えて、ベースプレートがボルト挿通部を他方の部材のボルト挿通孔に合せられてこのボルト挿通孔の周囲に取り付けられ、２部材間の取り付けに際し、ノブを使い、ノブ付きのボルトをこのボルトのセット位置で他方の部材のボルト挿通孔に係合させて、ノブの操作により、ノブ付きのボルトを締め込み方向に回転することにより、ノブ付きのボルトを被締め込み側のナットに締め込んでノブ付きのボルトと被締め込み側のナットとを締結し、その反対の操作により、ノブ付きのボルトと被締め込み側のナットとの締結を解除する形式とし、ノブ付きのボルトは常態として他方の部材に固定されるベースプレートに連結されたガイドプレートに保持されるようにしたので、風力発電装置他各種の構造物の高所にハッチパネル他各種の部材をボルト・ナットで取り付ける場合を含み、一方の部材に設けられた被締め込み側のナットに他方の部材に穿設されたボルト挿通孔に通した締め込み側のボルトを締結して、一方の部材に他方の部材を取り付けるボルト、ナットによる２部材間の取付構造において、ボルト、ナットの締結を工具を使うことなしに簡易に行え、ボルトの脱落を確実に防止することができる、という本発明独自の格別な効果を奏する。
【図面の簡単な説明】
【００１２】
【図１】本発明の第１の実施の形態における脱落防止金具付きナットをボルト・ナットによる２部材間の取付構造とともに示す図（（ａ）はノブ付きのナットの被締め込み側のボルトに対する締め込み前の状態を示す図（ｂ）はノブ付きのナットの被締め込み側のボルトに対する締め込み後の状態を示す図）
【図２】同脱落防止金具付きナットの構成を示す図（（ａ）は正面図（ｂ）は背面図（ｃ）は右側面図（左側面図は右側面図と対称に表れる。）（ｄ）は平面図（ｅ）は底面図）
【図３】同脱落防止金具付きナットの特に脱落防止金具の構成を示す図（斜視図）
【図４】同脱落防止金具付きナットの具体的な使用例として、風力発電装置のタワーとナセルとの間に設けられるハッチ開口部上にハッチパネルをボルト・ナットにより取り付ける場合のこの金具の使い方を示す図（（１）はハッチ開口部にハッチパネルを取り付ける前の状態を示す側面断面図（２）ハッチ開口部にハッチパネルを取り付けた後の状態を示す側面断面図（３）は（２）のＡ部拡大平面断面図）
【図５】本発明の第２の実施の形態における脱落防止金具付きボルトをボルト・ナットによる２部材間の取付構造とともに示す図（（ａ）はノブ付きのボルトの被締め込み側のナットに対する締め込み前の状態を示す図（ｂ）はノブ付きのボルトの被締め込み側のナットに対する締め込み後の状態を示す図）
【発明を実施するための形態】
【００１３】
次に、この発明の実施の形態について図を用いて説明する。
図１乃至図４に第１の実施の形態を示し、この実施の形態では、風力発電装置他各種の構造物の高所にハッチパネル他各種の部材をボルト・ナットで取り付ける場合を含み、一方の部材Ｘに突設された被締め込み側のボルトｂのねじ部を他方の部材Ｙに穿設されたボルト挿通孔ｈに通し、このボルト挿通孔ｈに通された被締め込み側のボルトｂのねじ部に締め込み側のナット１３のねじ孔を締結して、一方の部材Ｘに他方の部材Ｙを取り付けるボルト、ナットによる２部材間の取付構造に用いる脱落防止金具付きナットＡを例示している。また、ここでは、被締め込み側のボルトｂとして六角ボルトを例示している。
【００１４】
図１、図２に示すように、脱落防止金具付きナットＡは、締め込み側のナットとしてノブ付きのナット１を備え、脱落防止金具Ｕ１は、ベースプレート２と、ベースプレート２にリンク機構５を介してベースプレート２に対して進退（接離）可能に連結されるガイドプレート３とを備えて構成され、ノブ付きのナット１は脱落防止金具Ｕ１のガイドプレート３に取り付けられる。
【００１５】
図１、図２に示すように、ノブ付きのナット１は、ノブＮ１と、ナット１３とからなる。ノブＮ１は、先端にナット１３のねじ孔１３０と略同径の孔１０を有し、ナット１３をその軸方向及び回転方向の動きを規制して保持可能な筒状保持部１１、及び筒状保持部１１の後端側に筒状保持部１１の外周方向に張り出されるつまみ１２を有してなる。このノブＮ１の筒状保持部１１内にナット１３が組み込まれ、筒状保持部１１先端の孔１０にナット１３のねじ孔１３０が連通される。
この場合、ノブ付きのナット１には汎用部品のノブ付きの六角ナットが採用されている。このノブ付きの六角ナット１の場合、ノブＮ１は中心の筒状保持部１１とその外周に張り出されるつまみ１２とからなる。筒状保持部１１は、先端に六角ナット１３のねじ孔１３０と略同径の円形の孔１０を有し、内周面が六角ナット１３を嵌合可能に略六角形で、外周面は円形をなし、後端は開口されて、キャップ１４により閉塞される。つまみ１２は筒状保持部１１の後端側に外周方向に張り出される。このつまみ１２は外周面が外側に向けて凸の円弧部と内側に向けて凸の円弧部が交互に形成されて凹凸形状をなす。六角ナット１３がノブＮ１の筒状保持部１１内に嵌め込まれて、ノブ１先端の孔１０に六角ナット１３のねじ孔１３が同心的に合せられる。このようにしてノブ１を使って六角ナット１３を被締め込み側のボルトｂに締め込むようになっている。
【００１６】
図１、図２に示すように、ベースプレート２は、他方の部材Ｙのボルト挿通孔ｈに連通するボルト挿通部２０、及びこのボルト挿通部２０の周囲にノブ付きのナット１の筒状保持部１１の先端と係合可能なノブ先端係合部２１を有し、他方の部材Ｙのボルト挿通孔ｈの周囲に取り付けられる。
この場合、ベースプレート２はステンレスなどの金属製の略矩形状の平板からなり、長さがガイドプレート３の長さよりも少し長く、幅がガイドプレート３の幅よりも少し短く形成され、その略中央に被締め込み側のボルトｂのねじ部を通すためのボルト挿通部（孔）２０が穿たれる。
また、このベースプレート２の両側部には一対の立ち上がり部２２が形成され、各立ち上がり部２２に長孔２３が穿たれる。この場合、各立ち上がり部２２はベースプレート２の両側部の一端部近傍から他端部方向に中間部まで形成され、各立ち上がり部２２に両側面間を貫通して長穴２３がベースプレート２の両側部が延びる方向に長く形成される。
さらに、このベースプレート２には四隅近傍又は四隅のうち一方の対角線上で相互に対向する２つの角部近傍に取付ねじ挿通孔２４が穿たれる。このようにしてベースプレート２はボルト挿通部２０を他方の部材Ｙのボルト挿通孔ｈに合せられてこのボルト挿通孔ｈの周囲に配置され、ベースプレート２の各取付ねじ挿通孔２４から取付ねじが締め込まれて取り付けられるようになっている。
【００１７】
図１、図２に示すように、ガイドプレート３は、ノブ付きのナット１の筒状保持部１１を挿通可能な穴３０、及びこの穴３０の周囲にノブ付きのナット１のつまみ１２の座面と係合可能なつまみ座面係合部３１を有し、ベースプレート２にリンク機構５を介して、ベースプレート２と、このベースプレート２からノブ付きのナット１が他方の部材Ｙのボルト挿通孔ｈからベースプレート２のボルト挿通部２０を通じて通される被締め込み側のボルトｂに係合しノブ付きのナット１と被締め込み側のボルトｂとを締結するのに必要なノブ付きのナット１の締め込みストローク分の距離を確保して離間されるノブ付きのナット１のセット位置、つまり、他方の部材Ｙのボルト挿通孔ｈからベースプレート２のボルト挿通部２０を通じて通される被締め込み側のボルトｂの先端の直前となるノブ付きのナット１のセット位置でのこのナット１の筒状保持部１１の先端との間で進退可能に連結される。
この場合、ガイドプレート３はステンレスなどの金属製の略矩形状の平板からなり、全体がノブ付きのナット１の筒状保持部１１の先端（の面積）よりも大きく形成され、その略中央にノブ付きのナット１の筒状保持部１１を通すための穴３０が円形に穿たれる。そして、この円形の穴３０の周辺部分、この場合、ガイドプレート３の円形の穴３０の部分を除く全面がつまみ座面係合部３１となる。
また、このガイドプレート３の両側部には一対の立ち上がり部３２が形成され、各立ち上がり部３２に孔３３が穿たれる。この場合、各立ち上がり部３２は、ベースプレート２の各立ち上がり部２２とは反対に、ガイドプレート３の両側部の他端部から一端部方向に中間部まで形成され、各立ち上がり部３２の他端側に両側面間を貫通して孔３３が形成される。
このようにしてこのガイドプレート３の穴３０にノブ付きのナット１の筒状保持部１１が通され、この筒状保持部１１の先端にガイドプレート３の穴３０よりも大きい平板からなるストッパープレート４、この場合、ガイドプレート３の穴３０よりも大きい円形の平板で、その中心にノブ付きのナット１の筒状保持部１１先端の孔１０と略同径の孔４０を穿たれてなるストッパープレート４（図３参照）が、筒状保持部１１の先端に複数のねじにより固定されて、ノブ付きのナット１がガイドプレート３の穴３０に抜け止めされて取り付けられる。
そして、ガイドプレート３はベースプレート２に、リンク機構５を介して、ベースプレート２と、このベースプレート２に対するノブ付きのナット１のセット位置でのノブ付きナット１の筒状保持部１１の先端との間で進退可能に連結される。この場合、リンク機構５は、図３に示すように、ベースプレート２の両側部に形成される一対の立ち上がり部２２に穿たれ両側部の延びる方向に長い一対の長孔２３と、ガイドプレート３の両側部に形成される一対の立ち上がり部３２に穿たれる一対の孔３３と、一端が各孔３３に通されるピン５１にリンク結合され、他端が各長孔２３に通されるピン５１にリンク結合されて、ベースプレート２の各立ち上がり部２２とガイドプレート３の各立ち上がり部３２との間に架け渡しされる一対のリンク５２とを備えて構成される。このリンク機構５により、ガイドプレート３はベースプレート２に対して接離可能に連結され、図１（１）に示すように、ノブ付きのナット１によりガイドプレート３をベースプレート１からノブ付きのナット１のセット位置での筒状保持部１１の先端まで引き離すと、ベースプレート２とガイドプレート３との間で一対のリンク５２が斜めに立ち上がって、ガイドプレート３はベースプレート２に対してノブ付きのナット１が他方の部材Ｙのボルト挿通孔ｈに通された被締め込み側のボルトｂに対して係合可能な高さまで離間され、この状態から、ノブ付きのナット１を被締め込み側のボルトｂのねじ部に係合させて、このナット１を被締め込み側のボルトｂにベースプレート２のノブ先端支持部２１に向けて締め込んでいくと、このナット１の送りとともに、ベースプレート２とガイドプレート３との間の各リンク５２が徐々に折り畳まれながら、ガイドプレート３がベースプレート２に向けて近接していき、図１（２）に示すように、このノブ付きナット１をこのナット１の締め込み位置まで締め込むと、ノブ付きのナット１は筒状保持部１１の先端がベースプレート２のノブ先端係合部２１に圧接され、被締め込み側のボルトｂに完全に締め込まれて、ノブ付きのナット１と被締め込み側のボルトｂが締結されるとともに、ガイドプレート３がノブ付きナット１のつまみ１２の座面位置でベースプレート２の各立ち上がり部２２に重ね合わされる。かくしてガイドプレート３はベースプレート１に、リンク機構５を介して、ベースプレート２とベースプレート２から離間するノブ付きのナット１のセット位置での筒状保持部１１の先端との間で進退（接離）可能に連結される。
【００１８】
この脱落防止金具付きナットＵ１はかかる構成を備え、ノブ付きのナット１が、筒状保持部１１をガイドプレート３の穴３０に通され、筒状保持部１１の先端に穴３０よりも大きいストッパープレート４を固定されて、穴３０にストッパープレート４により抜け止めされて保持され、ベースプレート２がボルト挿通部２０を他方の部材Ｙのボルト挿通孔ｈに合せられてボルト挿通孔ｈの周囲に取り付けられ、２部材間の取り付けに際し、ノブＮ１を使い、ノブ付きのナット１をこのナット１のセット位置からボルト挿通孔ｈに通された被締め込み側のボルトｂのねじ部に係合させて、ノブＮ１の操作により、ノブ付きのナット１を締め込み方向に回転することにより、ノブ付きのナット１を被締め込み側のボルトｂに締め込んでノブ付きのナット１と被締め込み側のボルトｂとを締結し、その反対の操作により、ノブ付きのナット１と被締め込み側のボルトｂとの締結を解除する形式とし、ノブ付きのナット１は常態として他方の部材Ｙに固定されるベースプレート２に連結されたガイドプレート３に保持されるようになっている。
【００１９】
図４にこの脱落防止金具付きナットＡの具体的な使用例として、風力発電装置のタワーとナセルとの間に設けられるハッチ開口部上にハッチパネルをボルト・ナットにより取り付ける場合のこの金具Ａの使い方を示している。
なお、この風力発電装置では、図４に示すように、ハッチ開口部Ｇ０の周囲に複数の被締め込み側のボルトｂがねじ部を下方（垂直方向）に向けて固着され、ハッチパネルＧ１の周囲にハッチパネルＧ１の上面、下面間を貫通して複数のボルト挿通孔ｈが形成されていて、ハッチパネルＧ１を、ハッチ開口部Ｇ０の下から、ハッチパネルＧ１の各ボルト挿通孔ｈにハッチ開口部Ｇ０周囲の被締め込み側の各ボルトｂを通しながら、ハッチ開口部Ｇ０に被せ、この状態で、被締め込み側の各ボルトｂに締め込み側のナットとしてノブ付きのナット１を締結して、ハッチ開口部Ｇ０の直下に固定するようになっている。
【００２０】
まず、図４（１）に示すように、ハッチパネルＧ１の各ボルト挿通孔ｈごとに脱落防止金具付きナットＡを取り付ける。この場合、ベースプレート２のボルト挿通部２０（図３参照）をハッチパネルＧ１のボルト挿通孔ｈに合せてこのボルト挿通孔ｈの周囲に配置し、ベースプレート２の各取付ねじ挿通孔２４（図３参照）から取付ねじを締め込んで取り付ける。
次に、ハッチパネルＧ１を、ハッチ開口部Ｇ０の下から、ハッチパネルＧ１の各ボルト挿通孔ｈにハッチ開口部Ｇ０周囲の各ボルトｂを通しながら、ハッチ開口部Ｇ０に被せる。
そして、この状態から、図４（２）、（３）に示すように、ノブＮ１を使い、ノブ付きのナット１をこのナット１のセット位置でボルト挿通孔ｈに通されたボルトｂのねじ部に係合させて、ノブＮ１の操作により、ノブ付きのナット１を締め込み方向に回転することによる手締めにより、ノブ付きのナット１を締め込み位置へ送り、ボルトｂに締結する。
このようにこの脱落防止金具付きナットＡを用いた手締めによるノブ付きのナット１の締め付けによれば、このナット１の締め付け中にナット１がボルトｂから外れても、ナット１はガイドプレート３の穴３０内に保持されるから、ナット１がボルトｂから脱落してタワーの下に落ちることがない。
なお、ハッチパネルＧ１を開けるときなどナット１とボルトｂとの締結を解除する場合は、上記と反対の操作を行えばよい。
【００２１】
以上説明したように、この脱落防止金具付きナットＡによれば、締め込み側のボルトとしてノブ付きのナット１を用い、脱落防止金具Ｕ１がベースプレート２とこのベースプレート２にリンク機構５を介して連結されるガイドプレート３とを備えて、ベースプレート２がボルト挿通部２０を他方の部材Ｙのボルト挿通孔ｈに合せられてこのボルト挿通孔ｈの周囲に取り付けられ、２部材間の取り付けに際し、ノブＮ１を使い、ノブ付きのナット１をこのナット１のセット位置で他方の部材Ｙのボルト挿通孔ｈに通された被締め込み側のボルトｂに係合させて、ノブＮ１の操作により、ノブ付きのナット１を締め込み方向に回転することにより、ノブ付きのナット１を被締め込み側のボルトｂに締め込んでノブ付きのナット１と被締め込み側のボルトｂとを締結し、その反対の操作により、ノブ付きのナット１と被締め込み側のボルトｂとの締結を解除する形式とし、ノブ付きのナット１は常態として他方の部材Ｙに固定されるベースプレート２に連結されたガイドプレート３に保持されるようにしたので、風力発電装置他各種の構造物の高所にハッチパネル他各種の部材をボルト・ナットで取り付ける場合を含み、一方の部材Ｘに突設された被締め込み側のボルトｂのねじ部を他方の部材Ｙに穿設されたボルト挿通孔ｈに通し、このボルト挿通孔ｈを通された被締め込み側のボルトｂのねじ部に締め込み側のナット１３を締結して、一方の部材に他方の部材を取り付けるボルト、ナットによる２部材間の取付構造において、ボルト、ナットの締結を工具を使うことなしに簡易に行え、ナット１３の脱落を確実に防止することができる。
【００２２】
また、この脱落防止金具付きナットＡでは、締め込み側のナットをノブ付きのナット１としたので、ナット１の締め込み操作が容易となるなど操作性の向上を図ることができ、また、ノブＮ１に操作性、美観に優れたデザインを付することで、意匠的効果を高めることもできる。
さらに、この脱落防止金具付きナットＡでは、ベースプレート２に対してガイドプレート３がリンク機構５を介して接離可能に連結され、リンク５２の長さによりベースプレート２とガイドプレート３との間にノブ付きのナット１の被締め込み側のボルトに対する締め込みストロークを確保するので、ベースプレート２、ガイドプレート３をいずれも薄形で出っ張りなどのないシンプルなデザインにすることができ、全体をコンパクトにすることができる。また、全体をコンパクトにしたことで、ボルト・ナットの取付スペースが狭隘な場合にも適用することができる。
【００２３】
図５に第２の実施の形態を示し、この実施の形態では、風力発電装置他各種の構造物の高所にハッチパネル他各種の部材をボルト・ナットで取り付ける場合を含み、一方の部材Ｘに設けられた被締め込み側のナットｎに他方の部材Ｙに穿設されたボルト挿通孔ｈに通した締め込み側のボルト６３を締結して、一方の部材Ｘに他方の部材Ｙを取り付けるボルト、ナットによる２部材間の取付構造に用いる脱落防止金具付きボルトＢを例示している。また、ここでは、被締め込み側のナットｎとして六角ナットを例示している。
【００２４】
図５に示すように、この脱落防止金具付きボルトＢは、締め込み側のボルトとしてノブ付きのボルト６を備え、脱落防止金具Ｕ２は、ベースプレート２と、ベースプレート２にリンク機構５を介してベースプレート２に対して進退（接離）可能に連結されるガイドプレート３とを備えて構成され、ノブ付きのボルト６は脱落防止金具Ｕ２のガイドプレート３に取り付けられる。
【００２５】
ノブ付きのボルト６は、先端にボルト６３のねじ部６３１と略同径の孔６０を有し、ボルト６３の頭部６３０をその軸方向及び回転方向の動きを規制して保持可能な筒状保持部６１、及び筒状保持部６１の後端側に筒状保持部６１の外周方向に張り出されるつまみ６２を有してなるノブＮ２の筒状保持部６１内にボルト６３の頭部６３０が組み込まれ先端の孔６０からボルト６３のねじ部６３１を突出されて構成される。
この場合、ノブ付きボルト６は汎用部品が採用され、ノブＮ２それ自体は上記実施の形態のノブＮ１と概ね同様の構成を備える。
【００２６】
ベースプレート２は、他方の部材Ｙのボルト挿通孔ｈに連通するボルト挿通部２０、及びボルト挿通部２０の周囲にノブ付きのボルト６の筒状保持部６１の先端と係合可能なノブ先端係合部２１を有し、ボルト挿通部２０を他方の部材Ｙのボルト挿通孔ｈに合せられてボルト挿通孔ｈの周囲に取り付けられる。
この場合、ベースプレート２はガイドプレート３の長さよりも長くガイドプレート３の幅よりも短い金属製の略矩形状の平板からなり、その略中央にボルト挿通部２０が穿たれ、全体として、第１の実施の形態のベースプレート２と略同様の構成を備える。
【００２７】
ガイドプレート３は、ノブ付きのボルト６の筒状保持部６１を挿通可能な穴３０、及びこの穴３０の周囲にノブ付きのボルト６のつまみ６２の座面と係合可能なつまみ座面係合部３１を有し、ベースプレート２にリンク機構５を介して、ベースプレート２と、このベースプレート２からノブ付きのボルト６がベースプレート２のボルト挿通部２０に係合しノブ付きのボルト６と被締め込み側のナットｎとの締結に必要なノブ付きのボルト６の締め込みストローク分の距離を確保して離間されるノブ付きボルト６のセット位置、つまり、ベースプレート２のボルト挿通部２０の直前となるノブ付きのボルト６のセット位置でのこのボルト６の筒状保持部６１の先端との間で進退可能に連結される。
この場合、ガイドプレート３はノブ付きのボルト６の筒状保持部６１の先端よりも大きい金属製の略矩形状の平板からなり、その略中央に穴３０が穿たれ、全体として、第１の実施の形態のガイドプレート３と略同様の構成を備える。
このようにしてこのガイドプレート３の穴３０にノブ付きのボルト６の筒状保持部６１が通され、この筒状保持部６１の先端にガイドプレート３の穴３０よりも大きい平板からなるストッパープレート４が固定されて、ノブ付きのボルト６がガイドプレート３の穴３０に抜け止めされて保持される。
そして、ガイドプレート３はベースプレート２に、リンク機構５を介して、ベースプレート２と、このベースプレート２から離間するボルト６のセット位置での筒状保持部６１の先端との間で進退（接離）可能に連結される。
この場合、ストッパープレート４はガイドプレート３の穴３０よりも大きい平板からなり、その中心にノブ付きのボルト６の筒状保持部６１先端の孔６０と略同径の孔４０を穿たれて、筒状保持部６１の先端に複数のねじにより取り付けられ、全体として、第１の実施の形態のストッパープレート４と略同様の構成を備える。
また、この場合、リンク機構５は、ベースプレート２の両側部に形成される一対の立ち上がり部２２又はガイドプレート３の両側部に形成される一対の立ち上がり部３２の一方に穿たれる一対の孔３３及び他方に穿たれ当該両側部の延びる方向に長い一対の長孔２３と、一端が各孔３３に通されるピン５１にリンク結合され、他端が各長孔２３に通されるピン５１にリンク結合されて、ベースプレート２の各立ち上がり部２２とガイドプレート３の各立ち上がり部３２との間に架け渡しされる一対のリンク５２とを備えて構成され、全体として、第１の実施の形態のリンク機構５と略同様の構成を備える。このリンク機構５により、ガイドプレート３はベースプレート２に対して接離可能に連結され、ノブ付きのボルト６によりガイドプレート３をベースプレート２からボルト６のセット位置まで引き離すと、ベースプレート２とガイドプレート３との間で一対のリンク５２が斜めに立ち上がって、ガイドプレート３はベースプレート２に対してノブ付きのボルト６が他方の部材Ｙのボルト挿通孔ｈに連通するベースプレート２のボルト挿通部２０に係合可能な高さまで離間され、このボルト６のセット位置からノブ付きのボルト６のねじ部６１を被締め込み側のナットｎのねじ部に係合させて、このボルト６を被締め込み側のナットｎにベースプレート２のノブ先端支持部２１に向けて締め込んでいくと、このボルト６の送りとともに、ベースプレート２とガイドプレート３との間の各リンク５２が徐々に折り畳まれながら、ガイドプレート３がベースプレート２に向けて近接していき、このボルト６をボルト６の締め込み位置まで締め込むと、ノブ付きのボルト６は被締め込み側のナットｎに完全に締め込まれてノブ付きのボルト６と被締め込み側のナットｎが締結されるとともに、ガイドプレート３はノブ付きのボルト６のつまみ６２の座面位置でベースプレート２の各立ち上がり部２２に重ね合わされる。かくしてガイドプレート３はベースプレート２にリンク機構５を介してベースプレート２とこのベースプレート２に対するボルト６のセット位置での筒状保持部６１の先端との間で進退（接離）可能に連結される。
【００２８】
この脱落防止金具付きボルトＢはかかる構成を備え、ノブ付きのボルト６が、筒状保持部６１をガイドプレート３の穴３０に通され、筒状保持部６１の先端に穴３０よりも大きいストッパープレート４を固定されて、穴３０にストッパープレート４により抜け止めされて保持され、ベースプレート２がボルト挿通部２０を他方の部材Ｙのボルト挿通孔ｈに合せられてこのボルト挿通孔ｈの周囲に取り付けられ、２部材間の取り付けに際し、ノブＮ２を使い、ノブ付きのボルト６をこのボルト６のセット位置から他方の部材Ｙのボルト挿通孔ｈに通し被締め込み側のナットｎに係合させて、ノブＮ２の操作により、ノブ付きのボルト６を締め込み方向に回転することにより、ノブ付きのボルト６を被締め込み側のナットｎに締め込んでノブ付きのボルト６と被締め込み側のナットｎとを締結し、その反対の操作により、ノブ付きのボルト６と被締め込み側のナットｎとの締結を解除する形式とし、ノブ付きのボルト６は常態として他方の部材Ｙに固定されるベースプレート２に連結されたガイドプレート３に保持される。
このようにしたことで、風力発電装置他各種の構造物の高所にハッチパネル他各種の部材をボルト・ナットで取り付ける場合を含み、一方の部材Ｘに設けられた被締め込み側のナットｎに他方の部材Ｙに穿設されたボルト挿通孔ｈに通した締め込み側のボルト６３のねじ部を締結して、一方の部材Ｘに他方の部材Ｙを取り付けるボルト、ナットによる２部材間の取付構造において、ボルト、ナットの締結を工具を使うことなしに簡易に行え、ボルト６３の脱落を確実に防止することができる。
【００２９】
また、この脱落防止金具付きボルトＢでは、締め込み側のボルトをノブ付きのボルト６としたので、ボルト６の締め込み操作が容易となるなど操作性の向上を図ることができ、また、ノブＮ２に操作性、美観に優れたデザインを付することで、意匠的効果を高めることもできる。
さらに、この脱落防止金具付きボルトＢでは、このベースプレート２に対してガイドプレート３がリンク機構５を介して接離可能に連結され、リンク５２の長さによりベースプレート２とガイドプレート３との間にノブ付きのボルト６の被締め込み側のナットｎに対する締め込みストロークを確保するので、ベースプレート２、ガイドプレート３をいずれも薄形で出っ張りなどのないシンプルなデザインにすることができ、全体をコンパクトにすることができる。また、全体をコンパクトにしたことで、ボルト・ナットの取付スペースが狭隘な場合にも適用することができる。
【符号の説明】
【００３０】
Ａ  脱落防止金具付きナット
１  ノブ付きのナット
Ｎ１  ノブ
１０  孔
１１  筒状保持部
１２  つまみ
１３  ナット（六角ナット）
１３０  ねじ孔
１４  キャップ
２  ベースプレート
２０  ボルト挿通部
２１  ノブ先端係合部
２２  立ち上がり部
２３  長孔
２４  取付ねじ挿通孔
３  ガイドプレート
３０  穴
３１  つまみ座面係合部
３２  立ち上がり部
３３  孔
ｂ  ボルト
４  ストッパープレート
５  リンク機構
５１  ピン
５２  リンク
Ｂ  脱落防止金具付きボルト
６  ノブ付きのボルト
Ｎ２  ノブ
６０  孔
６１  筒状保持部
６２  つまみ
６３  ボルト（六角ボルト）
６３０  頭部
６３１  ねじ部
２  ベースプレート
２０  ボルト挿通部
２１  ノブ先端係合部
２２  立ち上がり部
２３  長孔
３  ガイドプレート
３０  穴
３１  つまみ座面係合部
３２  立ち上がり部
３３  孔
４  ストッパープレート
４０  孔
５  リンク機構
５１  ピン
５２  リンク
ｎ  ナット
【図１】
2018179140.tif 000003
【図２】
2018179140.tif 000004
【図３】
2018179140.tif 000005
【図４】
2018179140.tif 000006
【図５】
2018179140.tif 000007